(57)【要約】【課題】上部より投入される粉体を下部に略水平配置したスクリュウコンベアにより送出するホッパーにおいて、ホッパー内にブリッジ現象を阻止する仕切り板を配置するにあたって、ブリッジ現象の発生がしないように仕切り板を配置したブリッジ防止機能付きホッパーを提供する。【解決手段】上部より投入される粉体を下部に略水平配置したスクリュウコンベア３により送出するホッパーにおいて、当該ホッパー内に、スクリュウコンベア３の上部にスクリュウコンベア３の回転軸と平行に立起させ一端部をスクリュウコンベア３の回転軸と直交する水平軸６に枢止させるとともに他端部の下端をスクリュウコンベア３のスクリュウ３ｂに当接させた仕切り板５と、仕切り板５の他端部に近接させ仕切り板５の上下方向の揺動を許容し側方への揺動を規制する規制手段７とを備えたことを特徴とする。【選択図】      図１
2008007274.tif 000002
【特許請求の範囲】
【請求項１】
上部より投入される粉体を下部に略水平配置したスクリュウコンベアにより送出するホッパーにおいて、当該ホッパー内に、スクリュウコンベアの上部にスクリュウコンベアの回転軸と平行に立起させ一端部をスクリュウコンベアの回転軸と直交する水平軸に枢止させるとともに他端部の下端をスクリュウコンベアのスクリュウに当接させた仕切り板と、仕切り板の他端部に近接させ仕切り板の上下方向の揺動を許容し側方への揺動を規制する規制手段とを備えたことを特徴とするブリッジ防止機能付きホッパー。
【請求項２】
請求項１において、前記仕切り板の他端部をスクリュウコンベアの排出側に位置させたことを特徴とするブリッジ防止機能付きホッパー。
【発明の詳細な説明】
【技術分野】
【０００１】
本発明は、粉体を投入するホッパー内にブリッジ現象の発生を阻止するブリッジ防止機能付きホッパーに関するものである。
【背景技術】
【０００２】
この種のブリッジ防止機能付きホッパーとして以下のようなものが公知である。すなわち、上部より投入される粉体を下部に略水平配置したスクリュウコンベアにより送出するホッパーにおいて、当該ホッパー内に、スクリュウコンベアの上部にスクリュウコンベアの回転軸とその面を直交させ、上端を懸吊させ下端をスクリュウコンベアのスクリュウに当接させた仕切り板を備えたブリッジ防止機能付きホッパーが知られている。この仕切り板は、弾性板材からなり、蝶板によって屈曲性を持たせて一枚に連結した板材よりなる。このように構成したブリッジ防止機能付きホッパーは、単にホッパー内に投入された粉体が接する垂直面を増加させて流動を促す役割だけでなく、スクリュウコンベアの回転によってスクリュウコンベアのスクリュウと仕切り板がぶつかつて揺動し、形成されるブリッジを崩壊させるものである。（例えば特許文献１参照）
【特許文献１】特開昭５５−７９２８５号公報（第２頁〜第３頁  図２）
【発明の開示】
【発明が解決しようとする課題】
【０００３】
ところが上記ブリッジ防止機能付きホッパーは、仕切り板の下端をスクリュウコンベアに当接させスクリュウコンベアの回転によってスクリュウコンベアのスクリュウと仕切り板がぶつかつて揺動し、形成されるブリッジを崩壊させるようにしたものの、スクリュウコンベアの回転軸と仕切り板の面を直交させているものだから、実際にはスクリュウコンベアの送りによる圧縮力により仕切り板は進行方向に揺動した状態に維持され、揺動した状態を維持した仕切り板は下端がスクリュウコンベアのスクリュウに当接しなくなり、結局はスクリュウコンベアのスクリュウと仕切り板がぶつかつて揺動させる状態にならなくなり、進行方向に揺動した状態に維持された仕切り板に粉体が付着しブリッジ現象が発生する課題を備えている。
【０００４】
本発明は、このような課題を解決したブリッジ防止機能付きホッパーを提供することを目的とする。
【課題を解決するための手段】
【０００５】
上記の目的を達成するため、本発明の請求項１記載のブリッジ防止機能付きホッパーは、上部より投入される粉体を下部に略水平配置したスクリュウコンベアにより送出するホッパーにおいて、当該ホッパー内に、スクリュウコンベアの上部にスクリュウコンベアの回転軸と平行に立起させ一端部をスクリュウコンベアの回転軸と直交する水平軸に枢止させるとともに他端部の下端をスクリュウコンベアのスクリュウに当接させた仕切り板と、仕切り板の他端部に近接させ仕切り板の上下方向の揺動を許容し側方への揺動を規制する規制手段とを備えたことを特徴とするものである。
【０００６】
また本発明の請求項２記載のブリッジ防止機能付きホッパーは、請求項１において、前記仕切り板の他端部をスクリュウコンベアの排出側に位置させたことを特徴とするものである。 
【発明の効果】
【０００７】
請求項１に係る本発明の ブリッジ防止機能付きホッパーは、仕切り板の面をスクリュウコンベアの回転軸と直交させずに平行に立起させているものであるから、仕切り板はスクリュウコンベアの送りによる圧縮力の影響を受けない。しかも仕切り板は、一端部をスクリュウコンベアの回転軸と直交する水平軸に枢止させるとともに他端部の下端をスクリュウコンベアのスクリュウに当接させたものであるから、仕切り板は水平軸を中心に上下に揺動させることができる。よって仕切り板に粉体が付着しブリッジ現象が発生することはない。そして仕切り板は、規制手段で仕切り板の他端部を上下の揺動を許容し側方への揺動を規制されているので、倒れて粉体が付着しブリッジ現象が発生することもない。
【０００８】
また、スクリュウコンベアの排出側のホッパー壁面に粉体が付着し易くブリッジ現象が発生するものであるが、請求項２に係る本発明のブリッジ防止機能付きホッパーは、請求項１において、前記仕切り板の他端部をスクリュウコンベアの排出側に位置させたものであるから、スクリュウコンベアの排出側に位置する仕切り板の他端部の下端をスクリュウコンベアのスクリュウに当接させ水平軸を中心に上下に揺動させるので、ブリッジ現象を阻止することができる。
【発明を実施するための最良の形態】
【０００９】
以下本発明のブリッジ防止機能付きホッパーについて図１及び図２に図示し以下に説明する。図１は、本発明に係るブリッジ防止機能付きホッパーを説明する説明図である。図２は、図１の本発明に係るブリッジ防止機能付きホッパーを側面視して説明する説明図である。図１において、本発明に係るブリッジ防止機能付きホッパーＡは、ケース１の上部を投入口２とし、ケース１の下部に略水平配置したスクリュウコンベア３を配置し、スクリュウコンベア３の送出口に排出口４を設けている。そして投入口２より粉体を投入し、下部に略水平配置したスクリュウコンベア３により粉体を排出口４から送出するようにしている。
【００１０】
スクリュウコンベア３は、駆動装置３ａにより回転駆動される。当該ホッパーＡ内に、スクリュウコンベア３の上部にスクリュウコンベア回転軸と平行に仕切り板５立起させ一端部をスクリュウコンベア３の回転軸と直交する水平軸６に枢止させるとともに他端部の下端をスクリュウコンベア３のスクリュウ３ｂに当接させている。すなわち、仕切り板５の面はスクリュウコンベア３の回転軸と直交させずに平行に立起させているものである。
【００１１】
なお、図２に図示するように、仕切り板５の他端部に近接させ上下の揺動を許容し側方への揺動を規制する規制手段７を配置している。この規制手段７は、仕切り板５を挟んだ一対のストッパー７ａで構成しており、仕切り板５の他端部の上部と下部に２組配置している。
【００１２】
また、ブリッジ防止機能付きホッパーＡは、ケース１内に堆積している粉体の位置レベルが所定位置以下になったことを検出するレベル計１０を配置している。すなわち、レベル計１０は、回転羽根１０ａを回転させるようにしているが、このレベル計１０まで粉体が堆積している場合には、粉体が抵抗となって回転羽根１０ａの回転を阻止する。したがって回転羽根１０ａの回転を検出した場合には、粉体の堆積位置がレベル計１０の配置位置より下のレベルになったことを検出するもので、このときにスクリュウコンベア３の駆動装置３ａの駆動を停止させるようにしている。なお、回転羽根１０ａの回転を阻止しないよう仕切り板５の他端部には切欠き５ａを設けている。
【００１３】
このように構成した本発明に係るブリッジ防止機能付きホッパーＡは、次のように作用する。投入口２より粉体を投入し、レベル計１０の検出により、粉体の堆積位置がレベル計１０の配置位置より上のレベルになったことを検出すると、スクリュウコンベア３の駆動装置３ａの駆動を開始し、粉体を排出口４より排出させる。
【００１４】
スクリュウコンベア３の回転にともなって、スクリュウコンベア３のスクリュウ３ｂに当接させている仕切り板５は、水平軸６を中心に上下に揺動する。仕切り板５の面はスクリュウコンベア３の回転軸と直交させずに平行に立起させているものであるから、仕切り板５はスクリュウコンベア３の送りによる圧縮力の影響を受けない。しかも仕切り板５は、一端部をスクリュウコンベア３の回転軸と直交する水平軸６に枢止させるとともに他端部の下端をスクリュウコンベア３のスクリュウ３ｂに当接させたものであるから、仕切り板５は水平軸６を中心に上下に揺動させることができる。よって仕切り板５に粉体が付着しブリッジ現象が発生することを防止できる。しかも、仕切り板５は、規制手段７のストッパー７ａで仕切り板５の他端部を上下の揺動を許容し側方への揺動を規制されているので、倒れて粉体が付着しブリッジ現象が発生することもない。  
【００１５】
なお、スクリュウコンベア３の排出側のホッパー壁面に粉体が付着し易くブリッジ現象が発生するものであるが、本発明に係るブリッジ防止機能付きホッパーは、前記仕切り板５の他端部をスクリュウコンベア３の排出側に位置させたものであるから、スクリュウコンベア３の排出側に位置する仕切り板５の他端部の下端をスクリュウコンベア３のスクリュウ３ｂに当接させ水平軸６を中心に上下に揺動させるので、ブリッジ現象を阻止することができる。
【図面の簡単な説明】
【００１６】
【図１】本発明に係るブリッジ防止機能付きホッパーを説明する説明図である。
【図２】図１の本発明に係るブリッジ防止機能付きホッパーを側面視して説明する説明図である。
【符号の説明】
【００１７】
３  スクリュウコンベア
３ｂ  スクリュウ
５  仕切り板
６  水平軸
７  規制手段
A  ブリッジ防止機能付きホッパー
【図１】
2008007274.tif 000003
【図２】
2008007274.tif 000004